【事件の表示】
　特願２００６−　７３８９７「電話機状態通知システム、電話機、及び電話機状態通知方法」拒絶査定不服審判事件〔平成１９年　９月２７日出願公開、特開２００７−２５１７１４〕について、次のとおり審決する。
【結　論】
　本件審判の請求は、成り立たない。
【理　由】
１．手続の経緯と本願発明
　本願は、平成１８年３月１７日の出願であって、平成２２年１月２８日付けで拒絶査定がなされ、これに対し、同年４月２２日に拒絶査定に対する審判請求がなされたものであり、その特許請求の範囲の請求項１に係る発明（以下、「本願発明」という。）は、平成２２年１月１２日付けの手続補正書により補正された明細書及び図面の記載からみて、その特許請求の範囲の請求項１に記載された以下のとおりのものと認める。
　
（本願発明）
　「ネットワークに接続され、一つのグループとしてあらかじめ登録した複数の電話機と、当該グループに属する複数の電話機の使用者それぞれの現在の状態を登録する状態管理装置とを少なくとも備え、前記状態管理装置に登録された前記グループに属する複数の電話機の使用者の現在の状態を前記ネットワークを介して当該グループの各電話機に通知する電話機状態通知システムであって、前記グループに属する複数の電話機それぞれは、当該電話機の使用者の現在の状態を前記状態管理装置へ通知するための状態通知用ボタンを備え、前記電話機の使用者の状態が変化する際に、状態変化に該当する前記状態通知ボタンの操作を行うことにより、該状態変化を示す状態通知信号を生成して、前記ネットワークを介して、前記状態管理装置に通知し、
　前記電話機が備える前記状態通知用ボタンとして、当該電話機を使用可能な状態にあることを示すボタンと当該電話機を使用できない状態にあることを示すボタンとを少なくとも備えていることを特徴とする電話機状態通知システム。」
　
２．引用発明及び周知技術
（１）原審の拒絶理由に引用された特開２００３−２１９４８２号公報（以下、「引用例」という。）には図面とともに以下の事項が記載されている。
　イ．「【請求項１】  着信モード情報を保持する移動体端末であって、
前記着信モード情報をセンタ装置との間でやり取りする機能と、
前記センタ装置から受信した前記着信モード情報を表示する機能とを含み、
前記着信モード情報は、前記移動体端末の使用者の状態が記述されている状態情報を含む、移動体端末。
（・・・中略・・・）
【請求項４】請求項１〜３のいずれか１項に記載の移動体端末において、
前記着信モード情報が、複数の相手先識別子が予め登録されたグループ別に、前記着信動作が設定されているグループ別着信設定、をも含む、ことを特徴とする移動体端末。
（・・・中略・・・）
【請求項９】  請求項１〜８のいずれか１項に記載の移動体端末において、
前記着信モード情報を複数保存し、これらのうちから１つを選択してセンタ装置へ送信する機能、をも含むことを特徴とする移動体端末。」（２頁、請求項１、４、９）
　ロ．「【０００２】
【従来の技術】従来の移動通信装置、例えば携帯電話やＰＨＳでは、発信先がマナーモード等の設定を実施している場合であっても、実際に発呼することでしか発信者の状況を認識することができなかった。
【０００３】
【発明が解決しようとする課題】このため、マナーモード等の受信不可状態の端末に対する不要なトラヒックが生じたり、回線の混雑の原因になったりすることがあった。従って、本発明の目的は、移動体端末やこれを接続するセンタ装置において発信先の状況を認識できないことによる不要な発呼を削減することである。」（３頁４欄、段落２〜３）
　ハ．「【００２９】
【発明の実施の形態】以降、付属の諸図面を参照しつつ、本発明をより詳細に説明する。図１は、本発明による移動体端末およびセンタ装置を用いたシステムの構成図である。移動体端末１０（例えば携帯電話機やＰＨＳなど）は、センタ装置２０と無線で接続されており、他の移動体端末や電話機などと音声通話やデータ通信を行う。移動体端末１０は、着信モード情報や通話の相手先電話番号などの様々なデータを表示する表示部１２、着信モード情報などをセンタ装置２０とやり取りする通信部１４、着信モード情報などを格納する記憶装置１６を含む。」（５頁８欄、段落２９）
　ニ．「【００３１】図に示すように表示部１２は、センタ装置２０から定期的に或いは随時に受信した着信モード情報、例えば、相手先識別子（名前、電話番号、電子メールアドレスなど）と各識別子ごとの状態情報（例えば仕事中、運転中、自宅）などを表示する。ユーザはこの着信モード情報を参照して、相手先の状況を確認したり、これに基づき発呼するか否かを判断したりすることができる。また、移動体端末１０は、上述した着信モード情報を表示部１２に表示しながら編集・保存する機能（図示せず）をも具える。さらに、移動体端末１０は、着信モード情報を曜日や週単位で設定するスケジュール機能（図示せず）をも具える。」（５頁８欄〜６頁９欄、段落３１）
　ホ．「【００３３】図３は、移動体端末の着信モード情報の設定処理を示すフローチャートである。図に示すように、移動体端末の着信モード情報の設定、或いは設定変更を端末上で容易に行うことができる。
【００３４】図４は、着信モード情報の分配処理を説明するブロック図である。図に示すよに、移動体端末A上で着信モード情報を選択し、自己の着信モード情報の共有を許可する通知グループを選択する。このデータはセンタ装置に伝送され、センタ装置はこのデータに基づき当該端末の着信モード情報を更新し、このデータに記述された通知グループのメンバー各自に着信モード情報を送信する。通知メンバーである移動体端末は、センタから移動体端末Aの着信モード情報を受信し、これに記述された状態情報（移動中、仕事中など）を発呼の際に利用する。」（６頁９欄、段落３３〜３４）
　
　上記引用例の記載及び図面ならびにこの分野における技術常識を考慮すると、上記「移動体端末およびセンタ装置を用いたシステム」はグループを構成する複数の携帯電話機（即ち、電話機）及びセンタ装置からなり、これらの電話機ないしは装置間で所定の通信ができるように例えば携帯用無線回線により相互接続されたシステムであり、当該携帯用無線回線による相互接続のための回線構成はいわゆる「ネットワーク」と呼ばれるものである。
　また上記「センタ装置」は「このデータ（即ち、端末からセンタ装置に伝送されたデータ）に基づき当該端末の着信モード情報を更新」するのであるから、当該「センタ装置」は端末からのデータを記憶／更新して他の端末に送信する何らかのデータ記憶管理手段（即ち登録手段）を備えるものであり、また前記「端末からのデータ」は「着信モード情報」を含み、該「着信モード情報」は例えば「マナーモード等の受信不可状態」のような使用者それぞれの現在の状態情報を含むものである。
　また上記「移動体端末（即ち、電話機）およびセンタ装置を用いたシステム」はいわゆる「登録されたグループに属する複数の電話機」を対象とし、当該「登録されたグループに属する複数の電話機」の使用者の現在の状態を「ネットワーク」を介して「当該グループの各電話機に通知する電話機状態通知システム」を構成している。
　また上記「着信モード情報」の設定は端末上（即ち、電話機上）で行われるのであるから、当該電話機は何らかの操作可能な着信モード情報設定手段を備えるものであり、当該「着信モード情報」の内容は例えば図３に開示されているような「会議中」、「運転中」、「電車」等の受信不可状態（即ち、電話機を使用できない状態）を示す情報である。
　したがって、上記引用例には、以下の発明（以下、「引用発明」という。）が記載されている。
　
（引用発明）
　「ネットワークに接続され、一つのグループとしてあらかじめ登録した複数の電話機と、当該グループに属する複数の電話機の使用者それぞれの現在の状態を登録するセンタ装置とを少なくとも備え、前記センタ装置に登録された前記グループに属する複数の電話機の使用者の現在の状態を前記ネットワークを介して当該グループの各電話機に通知する電話機状態通知システムであって、前記グループに属する複数の電話機それぞれは、当該電話機の使用者の現在の状態を設定するための設定手段を備え、前記電話機の使用者の状態が変化する際に、状態変化を設定する設定手段の操作を行うことにより、該状態変化を示す着信モード情報を生成して、前記ネットワークを介して、前記センタ装置に通知し、
　前記電話機が備える前記設定手段として、当該電話機を使用できない状態にあることを示す設定手段を少なくとも備えている電話機状態通知システム。」
　
（２）原審の拒絶査定に引用された特開平５−１４５６５１号公報（以下、「引用例２」という。）には図面とともに以下の事項が記載されている。
　イ．「【０００６】
【実施例】以下、本発明の実施例を図１および図２に基づいて説明する。図１は、本発明装置を備えた電話機の平面図、図２は、在席・離席・不在の状況設定部とその状況表示部との接続関係を示す構成図である。まず、図１において、１は電話機本体、２はハンドセット（送受話器）、３はダイヤルボタン、４はスピーカ穴、５は在席・離席・不在の状況設定部であり、この状況設定部５は、表示素子６ａ，７ａ（図２）付きの在席押釦スイッチ６、離席押釦スイッチ７と、不在（帰宅）押釦スイッチ８と、これら押釦スイッチ６〜８に近接して設けた名称入れ表示部９〜１１を備える。」（２頁２欄、段落６）
　ロ．「【００１０】次に、上記のように構成された本実施例の動作について説明する。事務所内などの所定の場所に在席している電話機利用者が、事務机上に設置されている電話機本体１上の在席押釦スイッチ６をプッシュすると、そのオン信号により信号送出／制御部５１が動作して在席表示素子６ａを点灯すると同時に、信号送出／制御部５１から電話機固有の在席表示信号を出力する。（以下省略）」（２頁２欄〜３頁３欄、段落１０）
　ハ．「【００１１】一方、電話機利用者が一時的に席を離れる場合は、電話機本体１上の離席押釦スイッチ７を押す。これにより、状況設定部５および状況表示部１５の在席表示はキャンセルされるとともに、信号送出／制御部５２が動作して離席表示素子７ａが点灯し、さらに信号送出／制御部５２から選択信号を含む離席表示信号が送出される。」（３頁３欄、段落１１）
　ニ．「【００１２】また、帰宅などすることにより、完全に不在となった場合は、不在押釦スイッチ８を押す。すると、このオフ信号を検出したＤ−ＰＢＸ１２は不在電話機と状況表示部１５との通路を切断し、在席および離席の両表示素子１６，１７を消灯状態にする。」（３頁３欄、段落１２）
　ホ．「【００１３】このように本実施例においては、電話機に状況設定部５を設け、中継サービス側や所定の場所に状況表示部１５を設け、この状況設定部５と状況表示部１５とをＤ−ＰＢＸ１２に接続し、状況設定部５からの指示にしたがって状況設定部５と状況表示部１５との通路を接続して在席者の在席、離席および不在の各状況を状況表示部１５の対応する表示素子１６，１７に表示できるようにしたので、従来のような専用配線が不要になり、状況表示装置のための配線、配管設備費を大幅に低減できるとともに、装置の増設や位置変更が簡便に施工できる。」（３頁３〜４欄、段落１３）
　
　即ち、上記引用例２には「電話機に在席・離席・不在の押釦スイッチからなる状況設定部を設け、使用者の状況に応じた前記押しボタンスイッチの押下処理にしたがって在席者の在席、離席および不在の各状況を通知・表示する」技術手段が開示されている。
　
３．対比
　本願発明と引用発明とを対比すると、引用発明の「センタ装置」は各電話機の状態を管理しているのであるから、本願発明の「状態管理装置」と引用発明の「センタ装置」の間に実質的な差異はない。また引用発明の「着信モード情報」は各電話機の使用者の状態変化を示し、ネットワークを介して通知される情報であるから、本願発明の「状態通知信号」と引用発明の「着信モード情報」の間にも実質的な差異はない。
　また本願発明の「当該電話機の使用者の現在の状態を前記状態管理装置へ通知するための状態通知用ボタンを備え、前記電話機の使用者の状態が変化する際に、状態変化に該当する前記状態通知ボタンの操作を行う」構成と引用発明の「当該電話機の使用者の現在の状態を設定するための設定手段を備え、前記電話機の使用者の状態が変化する際に、状態変化を設定する設定手段の操作を行う」構成はいずれも「当該電話機の使用者の現在の状態を変更するための変更手段を備え、前記電話機の使用者の状態が変化する際に、前記変更手段の操作を行う」構成である点で一致している。
　また本願発明の「前記状態通知用ボタンとして、当該電話機を使用可能な状態にあることを示すボタンと当該電話機を使用できない状態にあることを示すボタンとを少なくとも備えている」構成と引用発明の「前記設定手段として、当該電話機を使用できない状態にあることを示す設定手段を少なくとも備えている」構成はいずれも「前記状態の設定手段として、当該電話機を使用できない状態にあることを示す設定手段を少なくとも備えている」構成の点で一致している。
　したがって、本願発明と引用発明は、以下の点で一致ないし相違する。
　
＜一致点＞
　「ネットワークに接続され、一つのグループとしてあらかじめ登録した複数の電話機と、当該グループに属する複数の電話機の使用者それぞれの現在の状態を登録する状態管理装置とを少なくとも備え、前記状態管理装置に登録された前記グループに属する複数の電話機の使用者の現在の状態を前記ネットワークを介して当該グループの各電話機に通知する電話機状態通知システムであって、前記グループに属する複数の電話機それぞれは、当該電話機の使用者の現在の状態を変更するための変更手段を備え、前記電話機の使用者の状態が変化する際に、前記変更手段の操作を行うことにより、該状態変化を示す状態通知信号を生成して、前記ネットワークを介して、前記状態管理装置に通知し、
　前記電話機が備える前記状態の設定手段として、当該電話機を使用できない状態にあることを示す設定手段を少なくとも備えている電話機状態通知システム。」
　
＜相違点＞
（１）「当該電話機の使用者の現在の状態を変更するための変更手段を備え、前記電話機の使用者の状態が変化する際に、前記変更手段の操作を行う」構成に関し、本願発明は「当該電話機の使用者の現在の状態を前記状態管理装置へ通知するための状態通知用ボタンを備え、前記電話機の使用者の状態が変化する際に、状態変化に該当する前記状態通知ボタンの操作を行う」構成であるのに対し、引用発明は「当該電話機の使用者の現在の状態を設定するための設定手段を備え、前記電話機の使用者の状態が変化する際に、状態変化を設定する設定手段の操作を行う」構成である点。
（２）「前記状態の設定手段として、当該電話機を使用できない状態にあることを示す設定手段を少なくとも備えている」構成に関し、本願発明は「前記状態通知用ボタンとして、当該電話機を使用可能な状態にあることを示すボタンと当該電話機を使用できない状態にあることを示すボタンとを少なくとも備えている」構成であるのに対し、引用発明は「前記設定手段として、当該電話機を使用できない状態にあることを示す設定手段を少なくとも備えている」構成である点。
　
４．判断
（１）上記相違点（１）の「当該電話機の使用者の現在の状態を変更するための変更手段を備え、前記電話機の使用者の状態が変化する際に、前記変更手段の操作を行う」構成について
　例えば上記引用例２には「電話機に在席・離席・不在の押釦スイッチからなる状況設定部を設け、使用者の状況に応じた前記押しボタンスイッチの押下処理にしたがって在席者の在席、離席および不在の各状況を通知・表示する」技術手段が開示されており、当該技術手段を引用発明の電話機に備えた「設定手段」として採用する上での阻害要因は何ら見あたらないから、当該技術手段に基づいて、引用発明の「当該電話機の使用者の現在の状態を設定するための設定手段を備え、前記電話機の使用者の状態が変化する際に、状態変化を設定する設定手段の操作を行う」構成を本願発明のような「当該電話機の使用者の現在の状態を前記状態管理装置へ通知するための状態通知用ボタンを備え、前記電話機の使用者の状態が変化する際に、状態変化に該当する前記状態通知ボタンの操作を行う」構成とする程度のことは当業者であれば適宜なし得ることである。
　
（２）上記相違点（２）の「前記状態の設定手段として、当該電話機を使用できない状態にあることを示す設定手段を少なくとも備えている」構成について
　前記引用例２に記載された技術手段のうち、「在席」の押釦が「当該電話機を使用可能な状態にあることを示すボタン」であり、「離席・不在」の押釦が「当該電話機を使用できない状態にあることを示すボタン」であることは当業者には自明な事項である。
　したがって、前記引用例２に記載された技術手段に基づいて、引用発明の「前記設定手段として、当該電話機を使用できない状態にあることを示す設定手段を少なくとも備えている」構成を本願発明のような「前記状態通知用ボタンとして、当該電話機を使用可能な状態にあることを示すボタンと当該電話機を使用できない状態にあることを示すボタンとを少なくとも備えている」構成とする程度のことも当業者であれば適宜なし得ることである。
　
５．むすび
　以上のとおり、本願発明は、引用発明及び引用例２に開示されている技術手段に基づいて当業者が容易に発明をすることができたものと認められるから、特許法第２９条第２項の規定により、特許を受けることができない。
　
　よって、結論のとおり審決する。